(57)【特許請求の範囲】
【請求項１】
第１シャフトと第２シャフトとの間で回転力を伝達するカップリングを収納するように構成されるカップリングカバーであって、
前記カップリングの軸線に直交する断面において、前記軸線を通過する鉛直線を第１基準線、前記第１基準線に対して水平方向一方側に位置する前記カップリングの周面を一方側周面、前記第１基準線に対して水平方向他方側に位置する前記カップリングの前記周面を他方側周面、と定義した場合に、
前記カップリングの前記一方側周面を覆うように構成される第１カバー部材と、
前記軸線が延在する方向における長さが前記第１カバー部材よりも短く、且つ、前記カップリングの前記他方側周面を覆うように構成される第２カバー部材と、
前記第１カバー部材と前記第２カバー部材とにより前記カップリングの前記周面における前記水平方向他方側に形成される開口を開閉可能に構成される第３カバー部材と、を備え、
前記カップリングには、ターニング用工具の掛止部が掛止可能に構成された被掛止部が形成され、
前記被掛止部は、前記開口と対面する位置となるように構成され、
前記第３カバー部材は、前記水平方向他方側に形成される前記開口を覆うように構成される第１の周面被覆部と、前記カップリングの前記軸線の延在する方向における一方の端面を被覆するように、前記第１の周面被覆部から前記水平方向一方側に向かって延在する第１の端面被覆部と、を含む
カップリングカバー。
【請求項２】
第１シャフトと第２シャフトとの間で回転力を伝達するカップリングを収納するように構成されるカップリングカバーであって、
前記カップリングの軸線に直交する断面において、前記軸線を通過する鉛直線を第１基準線、前記第１基準線に対して水平方向一方側に位置する前記カップリングの周面を一方側周面、前記第１基準線に対して水平方向他方側に位置する前記カップリングの周面を他方側周面、と定義した場合に、
前記カップリングの前記一方側周面を覆うように構成される第１カバー部材と、
前記軸線が延在する方向における長さが前記第１カバー部材よりも短く、且つ、前記カップリングの前記他方側周面を覆うように構成される第２カバー部材と、
前記第１カバー部材と前記第２カバー部材とにより前記カップリングの前記周面における前記水平方向他方側に形成される開口を開閉可能に構成される第３カバー部材と、を備え、
前記第２シャフトの周面には、前記カップリングを前記第２シャフトに連結するとともに、ターニング用工具の掛止部が掛止可能に構成された被掛止部を有するターニング補助工具を前記第２シャフトに装着するためのキー溝が形成され、
前記ターニング補助工具が前記第２シャフトに連結された状態において、前記被掛止部は、前記開口と対面する位置となるように構成され、
前記第３カバー部材は、前記水平方向他方側に形成される前記開口を覆うように構成される第１の周面被覆部と、前記カップリングの前記軸線の延在する方向における一方の端面を被覆するように、前記第１の周面被覆部から前記水平方向一方側に向かって延在する第１の端面被覆部と、を含む
カップリングカバー。
【請求項３】
前記第１カバー部材は、前記カップリングの前記周面における前記水平方向一方側を覆うように構成される第２の周面被覆部と、前記第２の周面被覆部の上端に設けられる被掛止部と、を含み、
前記第３カバー部材は、前記カップリングの前記周面における前記水平方向他方側を覆うように構成される第１の周面被覆部と、前記第１の周面被覆部の上端から突出して設けられるとともに前記被掛止部に掛止可能な掛止部と、を含み、
前記第３カバー部材は、前記掛止部を前記被掛止部に掛止させることで、前記第１カバー部材に吊り下げられるように構成される
請求項１又は２に記載のカップリングカバー。
【請求項４】
前記第３カバー部材は、前記第１カバー部材又は前記第２カバー部材に対して回動部を介して回動可能に連結される
請求項１又は２に記載のカップリングカバー。
【請求項５】
前記第１カバー部材、又は前記第２カバー部材の少なくとも一方に、前記第３カバー部材を固定するための少なくとも一つのパッチン錠をさらに備え、
前記パッチン錠は、
固定係止部を含む固定係止部材と、
操作部および可動係止部を含む可動係止部材と、を含み、
前記操作部を操作することで、前記可動係止部が前記固定係止部に係止される係止状態と、前記可動係止部が前記固定係止部に係止されない非係止状態と、に切り替え可能に構成される
請求項１乃至４の何れか１項に記載のカップリングカバー。
【発明の詳細な説明】
【技術分野】
【０００１】
本開示は、静止状態のシャフトを手動回転させるターニング作業に用いられるカップリングカバーに関する。
【背景技術】
【０００２】
例えば、吸収塔における吸収液を散布するための散布ノズル（散布装置）に上記吸収液を送るための回転ポンプなどの回転機械を駆動させるためには、モータ（電動機）で発生したトルクを回転機械に伝達する伝達機構が必要となる。上記伝達機構として、回転機械のシャフトとモータのシャフトとを直接連結するカップリングが広く知られている（特許文献１参照）。カップリングは、回転機械のシャフトの回転に同期してモータのシャフトとともに高速で回転するので、安全対策としてカップリングの周面を覆うカップリングカバーが設けられることがある（特許文献１参照）。
【０００３】
回転ポンプを駆動させる前に、回転ポンプの羽根車などの回転体の回転に異常がないか確認するために、静止状態の回転ポンプのシャフトを周方向に手動回転させるターニング作業が行われることがある。また、回転ポンプを長期にわたり駆動させない場合には、回転ポンプ内の潤滑油を潤滑させるために、所定期間（例えば一週間又は数週間）毎に上記ターニング作業が行われることがある。
【先行技術文献】
【特許文献】
【０００４】
【特許文献１】特開２０１４−７４４５６号公報
【発明の概要】
【発明が解決しようとする課題】
【０００５】
上記ターニング作業には、シャフトを手動回転させる前段階として、カップリングを覆うカップリングカバーを取り外す作業が含まれる。例えば、火力発電所に設置される湿式排煙脱硫装置向けの吸収液循環ポンプといった大きな回転ポンプでは、その分だけ回転ポンプのシャフトやカップリングも大きくなり、カップリングを覆うカップリングカバーも大型、且つ、高重量になる。そのため、カップリングカバーを取り外す作業には、複数の作業員を充てる必要があり、結果として上記ターニング作業は、手間（労力や時間）がかかるという問題があった。
【０００６】
特許文献１に示される軸継手ガードのガード本体は、鉛直方向の上側のガード本体上部と、鉛直方向の下側のガード本体下部と、が鉛直方向に分離可能に構成されている。この場合には、ガード本体上部をガード本体下部から取外すために、ガード本体上部を高く持ち上げる必要があるので、ガード本体を取り外す作業が困難であり、手間がかかる虞がある。
【０００７】
上述した事情に鑑みて、本発明の少なくとも一実施形態の目的は、静止状態のシャフトを手動回転させるターニング作業を容易且つ迅速に実行可能にするカップリングカバーを提供することにある。
【課題を解決するための手段】
【０００８】
（１）本発明の少なくとも一実施形態にかかるカップリングカバーは、
第１シャフトと第２シャフトとの間で回転力を伝達するカップリングを収納するように構成されるカップリングカバーであって、
上記カップリングの軸線に直交する断面における上記カップリングの周面における水平方向一方側を覆うように構成される第１カバー部材と、
上記軸線が延在する方向における長さが上記第１カバー部材よりも短く、且つ、上記断面における上記カップリングの上記周面における水平方向他方側を覆うように構成される第２カバー部材と、
上記第１カバー部材と上記第２カバー部材とにより上記カップリングの上記周面における上記水平方向他方側に形成される開口を開閉可能に構成される第３カバー部材と、を備える。
【０００９】
上記（１）の構成によれば、カップリングカバーは、上記周面における水平方向一方側を覆うように構成される第１カバー部材と、上記周面における水平方向他方側を覆うように構成される第２カバー部材と、を備える。第２カバー部材は、軸線が延在する方向における長さが第１カバー部材よりも短いので、第１カバー部材と第２カバー部材とが繋ぎ合わされた際に、上記周面における水平方向他方側に開口が形成される。カップリングカバーは、上記開口を開閉可能に構成される第３カバー部材をさらに備える。
【００１０】
上記開口を開放状態、すなわち、第３カバー部材を動かして上記開口を開いた状態にすると、カップリングカバーの内部に収納された、シャフト（第１シャフト、第２シャフト）やカップリングなどが露出する。このため、作業者は、上記開口を利用してターニング作業を行うことができる。上記開口は、上記開口を利用してターニング作業を実行可能な大きさであればよく、第３カバー部材は、上記開口を閉じることが可能な大きさであればよい。このため、第３カバー部材の大型化および高重量化を防止することができる。第３カバー部材の大型化および高重量化を防止することで、第３カバー部材を動かして上記開口を開閉する作業を容易且つ迅速に実行可能であり、ひいては静止状態のシャフトを手動回転させるターニング作業を容易且つ迅速に実行可能である。
【００１１】
（２）幾つかの実施形態では、上記（１）に記載のカップリングカバーにおいて、上記第３カバー部材は、上記カップリングの上記周面における上記水平方向他方側を覆うように構成される第１の周面被覆部と、上記カップリングの上記軸線の延在する方向における一方の端面を被覆するように構成される端面被覆部と、を含む。
【００１２】
上記（２）の構成によれば、第３カバー部材は、第１の周面被覆部と、端面被覆部とを含むので、上記第３カバー部材を動かして上記開口を開くことで、カップリングの周面だけでなく上記一方の端面が露出する。この場合には、カップリングの軸線の延在する方向における一端と、上記一端に接続されるシャフトと、の接続部に作業者が容易にアクセスすることができるので、上記接続部でのターニング作業を容易且つ迅速に実行可能である。
【００１３】
（３）幾つかの実施形態では、上記（１）又は（２）に記載のカップリングカバーにおいて、上記第１カバー部材は、上記カップリングの上記周面における上記水平方向一方側を覆うように構成される第２の周面被覆部と、上記第２の周面被覆部の上端に設けられる被掛止部と、を含み、上記第３カバー部材は、上記カップリングの上記周面における上記水平方向他方側を覆うように構成される第１の周面被覆部と、上記第１の周面被覆部の上端から突出して設けられるとともに上記被掛止部に掛止可能な掛止部と、を含み、上記第３カバー部材は、上記掛止部を上記被掛止部に掛止させることで、上記第１カバー部材に吊り下げられるように構成される。
【００１４】
上記（３）の構成によれば、第３カバー部材の掛止部を第１カバー部材の被掛止部に掛止させることで、第３カバー部材を第１カバー部材に吊り下げることができる。第３カバー部材を第１カバー部材に吊り下げた状態で、第３カバー部材を第１カバー部材や第２カバー部材に固定する作業や、上記固定を解除する作業を行うことができるため、第３カバー部材の取り付け作業や取り外し作業を容易且つ迅速に実行可能である。
【００１５】
（４）幾つかの実施形態では、上記（１）又は（２）に記載のカップリングカバーにおいて、上記第３カバー部材は、上記第１カバー部材又は上記第２カバー部材に対して回動部を介して回動可能に連結される。
【００１６】
上記（４）の構成によれば、第３カバー部材を第１カバー部材又は第２カバー部材に対して回動部を介して回動させることで、上記開口を開閉することができる。この場合には、第３カバー部材を回動させて上記開口を開閉する作業を容易且つ迅速に実行可能である。
【００１７】
（５）幾つかの実施形態では、上記（１）〜（４）の何れかに記載のカップリングカバーにおいて、上記第１カバー部材、又は上記第２カバー部材の少なくとも一方に、上記第３カバー部材を固定するための少なくとも一つのパッチン錠をさらに備え、上記パッチン錠は、固定係止部を含む固定係止部材と、操作部および可動係止部を含む可動係止部材と、を含み、上記操作部を操作することで、上記可動係止部が上記固定係止部に係止される係止状態と、上記可動係止部が上記固定係止部に係止されない非係止状態と、に切り替え可能に構成される。
【００１８】
上記（５）の構成によれば、パッチン錠は、操作部を操作することで、可動係止部が固定係止部に係止される係止状態と、可動係止部が固定係止部に係止されない非係止状態と、に切り替え可能に構成される。上記パッチン錠によれば、第１カバー部材又は第２カバー部材の何れかと、第３カバー部材と、を固定する作業および上記固定を解除する作業を容易且つ迅速に実行可能である。
【発明の効果】
【００１９】
本発明の少なくとも一実施形態によれば、静止状態のシャフトを手動回転させるターニング作業を容易且つ迅速に実行可能にするカップリングカバーが提供される。
【図面の簡単な説明】
【００２０】
【図１】一実施形態にかかるカップリングカバーを備えたポンプシステムの概略構成図である。
【図２】一実施形態にかかるカップリングカバーに収納されるカップリングの軸線方向に沿った概略断面図である。
【図３】図２に示されるＡ−Ａ線矢視の概略断面図である。
【図４】一実施形態にかかるカップリングカバーを概略的に示す分解斜視図である。
【図５】一実施形態にかかるカップリングカバーの第１カバー部材および第２カバー部材に第３カバー部材を固定した状態を概略的に示す概略上面図である。
【図６】図５に示されるＢ−Ｂ線矢視の概略断面図である。
【図７】図５に示されるＣ−Ｃ線矢視の概略断面図である。
【図８】一実施形態にかかるカップリングカバーの概略側面図である。
【図９】一実施形態にかかるカップリングカバーの軸線方向における他方側から視た概略図である。
【図１０】一実施形態にかかるカップリングカバーの第１カバー部材および第２カバー部材から第３カバー部材を取り外した状態を概略的に示す概略斜視図である。
【図１１】一実施形態にかかるカップリングカバーの第１カバー部材および第２カバー部材から第３カバー部材を取り外した状態を概略的に示す概略上面図である。
【図１２】他の一実施形態にかかるカップリングカバーにおける図５に示されるＣ−Ｃ線矢視相当の概略断面図である。
【図１３】他の一実施形態にかかるカップリングカバーにおける図５に示されるＣ−Ｃ線矢視相当の概略断面図である。
【図１４】一実施形態における締結装置および当て板を説明するための概略断面図である。
【図１５】他の一実施形態にかかるカップリングカバーの第１カバー部材および第２カバー部材から第３カバー部材を取り外した状態を概略的に示す概略上面図である。
【図１６】一実施形態にかかるターニング補助工具の連結状態を概略的に示す概略正面図である。
【図１７】一実施形態にかかるターニング補助工具の非連結状態を概略的に示す概略正面図である。
【図１８】図１６に示されるＤ方向視の概略側面図である。
【図１９】図１６に示されるＥ方向視の概略側面図である。
【図２０】一実施形態にかかるターニング補助工具を用いたターニング作業を説明するための図である。
【図２１】ロックピンの動作を説明するための図である。
【図２２】一実施形態にかかるターニング方法のフロー図である。
【図２３】他の一実施形態にかかるターニング方法のフロー図である。
【発明を実施するための形態】
【００２１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「含む」、又は、「有する」という表現は、他の構成要素の存在を除外する排他的な表現ではない。
なお、同様の構成については同じ符号を付し説明を省略することがある。
【００２２】
図１は、一実施形態にかかるカップリングカバーを備えたポンプシステムの概略構成図である。
図１に示されるように、本発明の一実施形態にかかるカップリングカバー１は、第１シャフト１１と第２シャフト１２との間で回転力を伝達するカップリング２を収納するように構成されている。
【００２３】
図示される実施形態では、図１に示されるように、第１シャフト１１は、モータ１３（発電機、電動機）の駆動軸１１Ａであり、第２シャフト１２は、回転ポンプ１４（回転機械）の回転軸１２Ａ（従動軸）である。また、駆動軸１１Ａおよび回転軸１２Ａの夫々は、軸線方向に直交する断面が円形に形成されている。
【００２４】
ポンプシステム１０は、図１に示されるように、カップリングカバー１と、カップリング２と、駆動軸１１Ａを有するモータ１３と、回転軸１２Ａを有する回転ポンプ１４を備える。
或る実施形態では、回転ポンプ１４は、排煙脱硫装置の吸収塔に設置された散布ノズル（散布装置）に吸収液（アルカリ成分を含むスラリー液など）を供給するように構成されている循環ポンプである。散布ノズル（散布装置）は、吸収塔内において上記吸収液を吸収塔内に導入された排ガスに散布するように構成されている。
【００２５】
図２は、本発明の一実施形態にかかるカップリングカバーに収納されるカップリングの軸線方向に沿った概略断面図である。図３は、図２に示されるＡ−Ａ線矢視の概略断面図である。
カップリング２は、図２に示されるように、軸線方向（カップリング２の軸線ＬＡが延在する方向）に沿って長さ方向を有する。カップリング２は、長さ方向の一端が、第１のキー１５を介するキー締結により第１シャフト１１に連結され、長さ方向の他端が、第２のキー１６を介するキー締結により第２シャフト１２に連結されている。以下、カップリング２の軸線方向におけるモータ１３側（図２中右側）を一方側、回転ポンプ１４側（図２中左側）を他方側、と定義する。
【００２６】
図示される実施形態では、カップリング２は、図２に示されるように、胴体２１と、胴体２１の一方側の端部（図中右端）に取り付けられる第１締結部材２２と、胴体２１の他方側の端部（図中左端）に取り付けられる第２締結部材２３と、軸線方向における胴体２１と第１締結部材２２との間に配置される第１の振動抑制体２４と、軸線方向における胴体２１と第２締結部材２３との間に配置される第２の振動抑制体２５と、を備える。第１の振動抑制体２４および第２の振動抑制体２５の夫々として、例えばゴム状弾性体や粘弾性物質を含む弾性体が挙げられる。カップリング２は、第１の振動抑制体２４や第２の振動抑制体２５により、第１シャフト１１と第２シャフト１２との間のミスアライメント（偏心、偏角、軸方向変位など）を吸収するように構成されている。
【００２７】
胴体２１は、図２に示されるように、軸線方向に沿って長さ方向を有する筒状に形成された第１筒状部２１１と、第１筒状部２１１の一方側の端部（図中右端）の外周から突出する第１締結部２１２と、第１筒状部２１１の他方側の端部（図中左端）の外周から突出する第２締結部２１３と、を含む。
【００２８】
第１締結部材２２は、図２に示されるように、軸線方向に沿って長さ方向を有する筒状に形成された第２筒状部２２１と、第２筒状部２２１の他方側の端部（図中左端）の外周から突出する第３締結部２２２と、を含む。
第３締結部２２２は、図２に示されるように、胴体２１の第１締結部２１２に締結装置１７により固定される。図示される実施形態では、締結装置１７は、第３締結部２２２および第１締結部２１２に形成された貫通孔２２４、２１４に挿通可能な軸部を有するボルト１７Ａと、ボルト１７Ａの軸部に螺合可能なナット１７Ｂと、を含む。
【００２９】
第２締結部材２３は、図２に示されるように、軸線方向に沿って長さ方向を有する筒状に形成された第３筒状部２３１と、第３筒状部２３１の一方側の端部（図中右端）の外周から突出する第４締結部２３２と、を含む。
第４締結部２３２は、図２に示されるように、胴体２１の第２締結部２１３に締結装置１８により固定される。図示される実施形態では、締結装置１８は、第４締結部２３２および第２締結部２１３に形成された貫通孔２３４、２１５に挿通可能な軸部を有するボルト１８Ａと、ボルト１８Ａの軸部に螺合可能なナット１８Ｂと、を含む。
【００３０】
図２に示されるように、第１締結部材２２の第２筒状部２２１は、内周に開口して軸線方向に沿って延在するキー溝２２３を有する。第２筒状部２２１に一方側から先端が挿入される駆動軸１１Ａは、他方側の外周縁に軸線方向に沿って延在するキー溝１１１を有する。駆動軸１１Ａは、キー溝１１１が第２筒状部２２１のキー溝２２３の周方向対向位置に配置される。そして、第１のキー１５が、キー溝１１１およびキー溝２２３に嵌合することで、駆動軸１１Ａとカップリング２とが一体的に連結されている。
【００３１】
図２に示されるように、第２締結部材２３の第３筒状部２３１は、内周に開口して軸線方向に沿って延在するキー溝２３３を有する。第３筒状部２３１に他方側から先端が挿入される回転軸１２Ａは、一方側の外周縁に軸線方向に沿って延在するキー溝１２１を有する。回転軸１２Ａは、図３に示されるように、キー溝１２１が第３筒状部２３１のキー溝２３３の周方向対向位置に配置される。そして、第２のキー１６が、キー溝１２１およびキー溝２３３に嵌合することで、回転軸１２Ａとカップリング２とが一体的に連結されている。
【００３２】
図２に示されるように、第１のキー１５のカップリング２から突出した部分を第１露出部１５Ａとし、第２のキー１６のカップリング２から突出した部分を第２露出部１６Ａとする。
【００３３】
図３に示されるように、第２締結部材２３の外周縁に、後述するターニング工具１００を掛止するための少なくとも一つの第１凹部２３５（被掛止部）が形成されていることがある。同様に、胴体２１や第１締結部材２２の外周縁にターニング工具１００を掛止するための少なくとも一つの凹部（被掛止部）が形成されていることがある。
【００３４】
（カップリングカバー）
図４は、一実施形態にかかるカップリングカバーを概略的に示す分解斜視図である。図５は、一実施形態にかかるカップリングカバーの閉止状態を概略的に示す概略上面図である。図６は、図５に示されるＢ−Ｂ線矢視の概略断面図である。図７は、図５に示されるＣ−Ｃ線矢視の概略断面図である。
【００３５】
図４、５に示されるように、カップリングカバー１は、第１周面被覆部３１を含む第１カバー部材３と、第２周面被覆部４１を含む第２カバー部材４と、第３周面被覆部５１を含む第３カバー部材５と、を備える。図４に示されるように、カップリングカバー１は、第１カバー部材３、第２カバー部材４および第３カバー部材５に分割可能に構成されている。
【００３６】
図示される実施形態では、第１カバー部材３は、図５に示されるように、軸線方向に沿って延在する上記第１周面被覆部３１と、第１周面被覆部３１の軸線方向における一方側（図中右側）の縁部に設けられる第１端面被覆部３２と、軸線方向における他方側（図中左側）の縁部に設けられる第２端面被覆部３３と、を含む。また、第１カバー部材３は、図４に示されるように、第１周面被覆部３１の上端から鉛直方向に沿って上方に突出する第１突出部３４と、第１周面被覆部３１の下端から水平方向に沿って外側（図５に示されるような上面視において軸線ＬＡから離隔する側）に延在する第１鍔部３５と、第１鍔部３５に取り付けられて、第１周面被覆部３１の下端よりも鉛直方向に沿って下方に延在する第１脚部３６と、をさらに含む。
【００３７】
図４に示される実施形態では、第１脚部３６は、長さ方向を有する上辺板部３６１と、上辺板部３６１から離隔して配置されるとともに、上辺板部３６１と平行な方向に沿って延在する下辺板部３６２と、上辺板部３６１と下辺板部３６２の長さ方向における端部同士を繋ぐ一対の鉛直板部３６３、３６４と、を含む矩形枠状に形成されている。第１脚部３６は、上辺板部３６１および下辺板部３６２の夫々が水平方向に沿って延在し、一対の鉛直板部３６３、３６４の夫々が鉛直方向に沿って延在するように配置される。下辺板部３６２は、上辺板部３６１よりも鉛直方向における下方に配置される。第１鍔部３５は、第１脚部３６の上辺板部３６１に上方から突き合わされるように配置され、少なくとも一つ（図中三つ）の固定装置７（７Ａ）により上辺板部３６１に着脱可能に固定されている。固定装置７（７Ａ）は、第１脚部３６の上辺板部３６１および第１鍔部３５を厚さ方向に貫通する貫通孔３６５、３５１を挿通する軸部を有するボルト７１Ａと、ボルト７１Ａの軸部に螺合可能に構成されているナット７２Ａと、を含む。
なお、図４においては、第１脚部３６の上辺板部３６１および第１鍔部３５については、各々三つの貫通孔３６５、３５１が図示されている。これに対して、ボルトとナットは、図中最も左側に位置する一組の貫通孔３６５、３５１に挿通されるボルト７１Ａと、該ボルト７１Ａの軸部に螺合するナット７２Ａのみが図示されている。つまり、残る二組の貫通孔３６５、３５１に挿通される二つのボルト７１Ａと、該二つのボルト７１Ａの軸部に夫々螺合する二つのナット７２Ａは、図示が省略されている。また、上記二つのボルト７１Ａが挿通される、貫通孔３６５と貫通孔３５１との対応を示す一点鎖線も、図示が省略されている。
【００３８】
図示される実施形態では、第２カバー部材４は、図５に示されるように、軸線方向に沿って延在する上記第２周面被覆部４１と、第２周面被覆部４１の軸線方向における一方側（図中右側）の縁部に設けられる第３端面被覆部４２と、を含む。また、第２カバー部材４は、図４に示されるように、第２周面被覆部４１の上端から鉛直方向に沿って上方に突出する第２突出部４３と、第２周面被覆部４１の下端から水平方向に沿って外側（図５に示されるような上面視において軸線ＬＡから離隔する側）に延在する第２鍔部４４と、第２鍔部４４に取り付けられて、第２周面被覆部４１の下端よりも鉛直方向に沿って下方に延在する第２脚部４５と、をさらに含む。
【００３９】
図４に示される実施形態では、第２脚部４５は、長さ方向を有する上辺板部４５１と、上辺板部４５１から離隔して配置されるとともに、上辺板部４５１と平行な方向に沿って延在する下辺板部４５２と、上辺板部４５１と下辺板部４５２の長さ方向における端部同士を繋ぐ一対の鉛直板部４５３、４５４と、を含む矩形枠状に形成されている。第２脚部４５は、上辺板部４５１および下辺板部４５２の夫々が水平方向に沿って延在し、一対の鉛直板部４５３、４５４の夫々が鉛直方向に沿って延在するように配置される。下辺板部４５２は、上辺板部４５１よりも鉛直方向における下方に配置される。第２鍔部４４は、第２脚部４５の上辺板部４５１に上方から突き合わされるように配置され、少なくとも一つ（図中二つ）の固定装置７（７Ｂ）により上辺板部４５１に着脱可能に固定されている。固定装置７（７Ｂ）は、第２脚部４５の上辺板部４５１および第２鍔部４４を厚さ方向に貫通する貫通孔４５５、４４１を挿通する軸部を有するボルト７１Ｂと、ボルト７１Ｂの軸部に螺合可能に構成されているナット７２Ｂと、を含む。
【００４０】
図示される実施形態では、第３カバー部材５は、図５に示されるように、軸線方向に沿って延在する上記第３周面被覆部５１と、第３周面被覆部５１の軸線方向における他方側（図中左側）の縁部に設けられる第４端面被覆部５２と、を含む。第３カバー部材５は、図５に示されるように、軸線方向において第２カバー部材４よりも他方側に隣接するように配置されるようになっている。また、第３カバー部材５は、図４に示されるように、第３周面被覆部５１の上端から鉛直方向に沿って上方に突出する第３突出部５３と、第３突出部５３に固定された少なくとも一つ（図中二つ）の鉤状部５５と、第３周面被覆部５１の下端から水平方向に沿って外側（図５に示されるような上面視において軸線ＬＡから離隔する側）に延在する第３鍔部５７と、をさらに含む。上述した第２脚部４５は、第２鍔部４４よりも軸線方向における他方側に突出する突出部４５Ａを含み、第３鍔部５７は、突出部４５Ａにおける上辺板部４５１の上に載せられる。この場合には、第３カバー部材５を第２脚部４５に載せた状態で、第３カバー部材５を第１カバー部材３や第２カバー部材４に固定する作業や、上記固定を解除する作業を行うことができるため、第３カバー部材５の取り付け作業や取り外し作業を容易且つ迅速に実行可能である。
【００４１】
図４に示される実施形態では、第３鍔部５７は、第２脚部４５の突出部４５Ａにおける上辺板部４５１に上方から突き合わされるように配置され、少なくとも一つ（図中一つ）の固定装置７（７Ｃ）により上辺板部４５１に着脱可能に固定されている。固定装置７（７Ｃ）は、第２脚部４５の上辺板部４５１および第３鍔部５７を厚さ方向に貫通する貫通孔４５５、５７１を挿通する軸部を有するボルト７１Ｃと、ボルト７１Ｃの軸部に螺合可能に構成されているナット７２Ｃと、を含む。
【００４２】
図５に示されるように、第１カバー部材３および第２カバー部材４の夫々は、互いに固定されるとともに、カップリング２に対して位置が変化しないように、図１に示される土台１９に固定される。
【００４３】
図示される実施形態では、図１に示されるように、第１脚部３６の下辺板部３６２および第２脚部４５の下辺板部４５２が、図１に示される土台１９に載せられて土台１９に固定されている。このため、第１周面被覆部３１および第２周面被覆部４１の夫々は、土台１９に対して鉛直方向における上方に間隔をあけて配置されている。
【００４４】
また、図示される実施形態では、図６に示されるように、第１カバー部材３の第１突出部３４と第２カバー部材４の第２突出部４３とが互いの側面を突き合せるように配置され、固定装置７（７Ｄ）により固定されている。図示される実施形態では、固定装置７（７Ｄ）は、第１突出部３４および第２突出部４３を厚さ方向に貫通する貫通孔３４１、４３１を挿通する軸部を有するボルト７１Ｄと、ボルト７１Ｄの軸部に螺合可能に構成されているナット７２Ｄと、を含む。
【００４５】
図６、７に示されるような、カップリング２の軸線ＬＡに直交する断面において、軸線ＬＡに直交して鉛直方向に延在する第１基準線ＬＶ（鉛直線）とし、軸線ＬＡに直交して水平方向に延長する線を第２基準線ＬＨ（水平線）とする。そして、上記断面において、第１基準線ＬＶに対して第１カバー部材３が位置する側（図中右側）を水平方向一方側とし、第１基準線ＬＶに対して第２カバー部材４および第３カバー部材５が位置する側（図中左側）を水平方向他方側とする。図５では、軸線ＬＡに対して第１カバー部材３が位置する図中上側が水平方向一方側となり、軸線ＬＡに対して第２カバー部材４および第３カバー部材５が位置する図中下側が水平方向他方側となる。
【００４６】
図６に示されるように、第１カバー部材３および第２カバー部材４は、カップリング２の軸線ＬＡに直交する断面において、第１基準線ＬＶ（鉛直線）を境としてカップリングカバー１を水平方向に二分割するように構成されている。同様に、図７に示されるように、第１カバー部材３および第３カバー部材５は、カップリング２の軸線ＬＡに直交する断面において、第１基準線ＬＶ（鉛直線）を境としてカップリングカバー１を左右に二分割するように構成されている。
【００４７】
図６、７に示されるように、第１カバー部材３の第１周面被覆部３１は、カップリング２の周面２６における水平方向一方側を覆うように構成されている。第２カバー部材４の第２周面被覆部４１および第３カバー部材５の第３周面被覆部５１の夫々は、カップリング２の周面２６における水平方向他方側を覆うように構成されている。
【００４８】
図示される実施形態では、図６、７に示されるように、第１周面被覆部３１は、カップリング２の周面２６における水平方向一方側、且つ、第２基準線ＬＨよりも鉛直方向上側を覆う四半環状（円弧状）の断面形状を有する第１上方円弧部３１１と、第１上方円弧部３１１の下端から鉛直方向に沿って延在する第１側壁部３１２と、を含む。
【００４９】
図示される実施形態では、図６に示されるように、第２周面被覆部４１は、カップリング２の周面２６における水平方向他方側、且つ、第２基準線ＬＨよりも鉛直方向上側を覆う四半環状（円弧状）の断面形状を有する第２上方円弧部４１１と、第２上方円弧部４１１の下端から鉛直方向に沿って延在する第２側壁部４１２と、を含む。
【００５０】
第１カバー部材３に第２カバー部材４が取り付けられると、図６に示されるように、第１周面被覆部３１の上端と第２周面被覆部４１の上端とが突き合わされて、第１上方円弧部３１１および第２上方円弧部４１１により第２基準線ＬＨよりも鉛直方向上側に半環状の断面形状が形成される。つまり、第１上方円弧部３１１および第２上方円弧部４１１により、カップリング２の鉛直方向における上方が覆われる。なお、第１側壁部３１２および第２側壁部４１２は、鉛直方向に沿って下方に延在しているが、カップリングカバー１は、その鉛直方向における下方が開放している。
【００５１】
図示される実施形態では、図７に示されるように、第３周面被覆部５１は、カップリング２の周面２６における水平方向他方側、且つ、第２基準線ＬＨよりも鉛直方向上側を覆う四半環状（円弧状）の断面形状を有する第３上方円弧部５１１と、第３上方円弧部５１１の下端から鉛直方向に沿って延在する第３側壁部５１２と、を含む。
【００５２】
第３カバー部材５が第１カバー部材３又は第２カバー部材４の少なくとも一方に取り付けられると、図７に示されるように、第１周面被覆部３１の上端と第３周面被覆部５１の上端とが突き合わされて、第１上方円弧部３１１および第３上方円弧部５１１により第２基準線ＬＨよりも鉛直方向上側に半環状の断面形状が形成される。つまり、第１上方円弧部３１１および第３上方円弧部５１１により、カップリング２の鉛直方向における上方が覆われる。なお、第１側壁部３１２および第３側壁部５１２は、鉛直方向に沿って下方に延在しているが、カップリングカバー１は、その鉛直方向における下方が開放している。
【００５３】
上述した鉤状部５５は、図７に示されるように、第１カバー部材３の第１突出部３４（被掛止部）に掛止可能に構成されている。図示される実施形態では、鉤状部５５は、第１突出部３４の上端を内側に巻き込むような曲がり形状を有する。
第３カバー部材５は、図７に示されるように、鉤状部５５を第１カバー部材３の第１突出部３４に掛止させることで、第１カバー部材３に吊り下げられる。
【００５４】
図５に示されるように、第１カバー部材３の第１端面被覆部３２は、カップリング２の第１端面２７の水平方向一方側を覆うように構成されている。第２カバー部材４の第３端面被覆部４２は、カップリング２の第１端面２７の水平方向他方側を覆うように構成されている。
【００５５】
図示される実施形態では、図５に示されるように、第１端面被覆部３２及び第３端面被覆部４２の夫々は、軸線方向に直交する方向に沿って延在している。
第１端面被覆部３２は、軸線ＬＡよりも水平方向一方側を覆っている。第１端面被覆部３２の水平方向他方側の縁には、水平方向一方側に凹んだ半円状（円弧状）の開口３２１が形成されている。
第３端面被覆部４２は、軸線ＬＡよりも水平方向他方側を覆っている。第３端面被覆部４２の水平方向一方側の縁には、水平方向他方側に凹んだ半円状（円弧状）の開口４２１が形成されている。開口４２１は、開口３２１の対向位置に形成され、カップリングカバー１は、開口３２１と開口４２１とにより、駆動軸１１Ａが挿通可能な円形孔を形成する。
【００５６】
図５に示されるように、第１カバー部材３の第２端面被覆部３３は、カップリング２の第２端面２８の水平方向一方側を覆うように構成されている。第３カバー部材５の第４端面被覆部５２は、カップリング２の第２端面２８の水平方向他方側を覆うように構成されている。
【００５７】
図示される実施形態では、図５に示されるように、第２端面被覆部３３及び第４端面被覆部５２の夫々は、軸線方向に直交する方向に沿って延在している。
第２端面被覆部３３は、軸線ＬＡよりも水平方向一方側を覆っている。第２端面被覆部３３の水平方向他方側の縁には、水平方向一方側に凹んだ半円状（円弧状）の開口３３１（図４参照）が形成されている。
第４端面被覆部５２は、軸線ＬＡよりも水平方向他方側を覆っている。第４端面被覆部５２の水平方向一方側の縁には、水平方向他方側に凹んだ半円状（円弧状）の開口５２１（図４参照）が形成されている。開口５２１は、開口３３１の対向位置に形成され、カップリングカバー１は、開口３３１と開口５２１とにより、回転軸１２Ａが挿通可能な円形孔を形成する。
【００５８】
図８は、一実施形態にかかるカップリングカバーの概略側面図である。図９は、一実施形態にかかるカップリングカバーの軸線方向における他方側から視た概略図である。
第３カバー部材５は、第１カバー部材３および第２カバー部材４に着脱可能に構成されている。
図示される実施形態では、図８に示されるように、第３カバー部材５の第３周面被覆部５１は、少なくとも一つ（図中二つ）の固定装置７（７Ｅ）により、第２カバー部材４の第２周面被覆部４１に着脱可能に固定されている。また、図９に示されるように、第３カバー部材５の第４端面被覆部５２は、少なくとも一つの固定装置７（７Ｆ）により、上記開口５２１よりも低い位置で、第１カバー部材３の第２端面被覆部３３に着脱可能に固定されている。
つまり、固定装置７（例えば７Ｃ、７Ｅ、７Ｆ）による固定を解除することで、第３カバー部材５を第１カバー部材３および第２カバー部材４から取り外すことができる。
【００５９】
図１０は、一実施形態にかかるカップリングカバーの第１カバー部材および第２カバー部材から第３カバー部材を取り外した状態を概略的に示す概略斜視図である。図１１は、一実施形態にかかるカップリングカバーの第１カバー部材および第２カバー部材から第３カバー部材を取り外した状態を概略的に示す概略上面図である。
図１１に示されるように、第２カバー部材４の軸線方向における長さＬ２は、第１カバー部材３の軸線方向における長さＬ１よりも短い。このため、図１１に示されるように、第１カバー部材３に第２カバー部材４を固定した際に、軸線ＬＡに対して水平方向他方側に開口Ｏ１（開口Ｏ）が形成される。上記開口Ｏ１は、第３カバー部材５を第１カバー部材３および第２カバー部材４に取り付けることで閉じられる。
【００６０】
上述したように、幾つかの実施形態にかかるカップリングカバー１は、例えば図５に示されるように、上述した第１周面被覆部３１を含む第１カバー部材３と、上述した第２周面被覆部４１を含む第２カバー部材４と、上述した第３周面被覆部５１を含む第３カバー部材５と、を備える。第２カバー部材４は、軸線ＬＡが延在する方向における長さＬ２が、第１カバー部材の軸線ＬＡが延在する方向における長さＬ１よりも短い。第３カバー部材５は、第１カバー部材３と第２カバー部材４とにより、カップリング２の周面２６における水平方向他方側に形成される開口Ｏ１（図１１参照）を開閉可能に構成されている。
【００６１】
上記の構成によれば、カップリングカバー１は、カップリング２の周面２６における水平方向一方側を覆うように構成される第１カバー部材３と、周面２６における水平方向他方側を覆うように構成される第２カバー部材４と、を備える。第２カバー部材４は、軸線ＬＡが延在する方向における長さＬ２が、第１カバー部材３の長さＬ１よりも短いので、第１カバー部材３と第２カバー部材４とが繋ぎ合わされた際に、周面２６における水平方向他方側に開口Ｏ１が形成される。カップリングカバー１は、上記開口Ｏ１を開閉可能に構成される第３カバー部材５をさらに備える。
【００６２】
上記開口Ｏ１を開放状態、すなわち、第３カバー部材５を動かして上記開口Ｏ１を開いた状態にすると、カップリングカバー１の内部に収納された、シャフト（第１シャフト１１、第２シャフト１２）やカップリング２などが露出する。このため、作業者は、開口Ｏ１を利用してターニング作業を行うことができる。開口Ｏ１は、開口Ｏ１を利用してターニング作業を実行可能な大きさであればよく、第３カバー部材５は、開口Ｏ１を閉じることが可能な大きさであればよい。このため、第３カバー部材５の大型化および高重量化を防止することができる。第３カバー部材５の大型化および高重量化を防止することで、第３カバー部材５を動かして開口Ｏ１を開閉する作業を容易且つ迅速に実行可能であり、ひいては静止状態のシャフト（第１シャフト１１、第２シャフト１２）を手動回転させるターニング作業を容易且つ迅速に実行可能である。
【００６３】
幾つかの実施形態では、上述した第３カバー部材５は、例えば図４に示されるように、上述した第３周面被覆部５１（第１の周面被覆部）と、上述した第４端面被覆部５２（端面被覆部）と、を含む。この場合には、第３カバー部材５は、第３周面被覆部５１（第１の周面被覆部）と、第４端面被覆部５２（端面被覆部）とを含むので、第３カバー部材５を動かして上記開口Ｏ１を開いた状態にすることで、カップリング２の周面２６だけでなく一方の端面（第１端面２７又は第２端面２８）が露出する。この場合には、カップリング２の軸線ＬＡの延在する方向における一端（第１締結部材２２又は第２締結部材２３）と、上記一端に接続されるシャフト（第１シャフト１１、第２シャフト１２）と、の接続部に作業者が容易にアクセスすることができるので、上記接続部でのターニング作業を容易且つ迅速に実行可能である。
【００６４】
幾つかの実施形態では、例えば図７に示されるように、上述した第１カバー部材３は、上述した第１周面被覆部３１（第２の周面被覆部）と、第１周面被覆部３１の上端に設けられる第１突出部３４（被掛止部）と、を含んでいる。上述した第３カバー部材５は、上述した第３周面被覆部５１（第１の周面被覆部）と、第３周面被覆部５１の上端から突出して設けられるとともに、第１突出部３４に掛止可能に構成されている鉤状部５５（掛止部）と、を含む。第３カバー部材５は、鉤状部５５を第１突出部３４に掛止させることで、第１カバー部材３に吊り下げられるように構成される。
【００６５】
上記の構成によれば、第３カバー部材５の鉤状部５５を第１カバー部材３の第１突出部３４に掛止させることで、第３カバー部材５を第１カバー部材３に吊り下げることができる。第３カバー部材５を第１カバー部材３に吊り下げた状態で、第３カバー部材５を第１カバー部材３や第２カバー部材４に固定する作業（固定装置７（例えば７Ｃ、７Ｅ、７Ｆ）により固定する作業）や、上記固定を解除する作業を行うことができるため、第３カバー部材５の取り付け作業や取り外し作業を容易且つ迅速に実行可能である。
【００６６】
図１２および図１３は、他の一実施形態にかかるカップリングカバーにおける図５に示されるＣ−Ｃ線矢視相当の概略断面図である。
幾つかの実施形態では、図１２および図１３に示されるように、上述した第３カバー部材５は、上述した鉤状部５５ではなく、回動部５６を備える。第３カバー部材５は、第１カバー部材３又は第２カバー部材４に対して回動部５６を介して回動可能に連結される。
【００６７】
図示される実施形態では、図１２、１３に示されるように、回動部５６は、第１部材５６１と、第２部材５６２と、第１部材５６１の長さ方向における一端および第２部材５６２の長さ方向における一端に接続される回動部本体５６３と、を備える。回動部本体５６３は、軸線ＬＡに平行な方向に沿って延在する回転中心Ｒ１を中心とする周方向に、第１部材５６１および第２部材５６２の少なくとも一方を他方に対して回転可能に構成されている。
【００６８】
図１２、１３に示される実施形態では、第１部材５６１は、長さ方向における他端が、第３カバー部材５の第３突出部５３の外側面に固定されている。第２部材５６２は、長さ方向における他端が、第１カバー部材３の第１突出部３４の外側面に固定されている。第１カバー部材３は、土台１９に固定されている。このため、第３カバー部材５は、上記回転中心Ｒ１を中心とする周方向に、第１カバー部材３に対して相対回転することができる。図１３に示されるように、第３カバー部材５の第３周面被覆部５１が上方に持ち上がるように図中時計回りに回転させることで、開口Ｏ１を開いた状態にすることができる。また、図１３に示す状態から、第３カバー部材５の第３周面被覆部５１を下方に下げるように図中半時計周りに回転させることで、開口Ｏ１が閉じられる。
【００６９】
他の実施形態では、上述した回動部５６は、第２カバー部材４の第２周面被覆部４１の外側面に第１部材５６１が固定され、第３カバー部材５の第３周面被覆部５１の外側面に第２部材５６２が固定されていてもよい。
【００７０】
上記の構成によれば、第３カバー部材５を第１カバー部材３又は第２カバー部材４に対して回動部５６を介して回動させることで、開口Ｏ１を開閉することができる。この場合には、第３カバー部材５を回動させて開口Ｏ１を開閉する作業を容易且つ迅速に実行可能である。
【００７１】
図１４は、一実施形態における締結装置および当て板を説明するための概略断面図である。
幾つかの実施形態では、図１４に示されるように、上述した第１カバー部材３、又は上述した第２カバー部材４の少なくとも一方に、第３カバー部材５を固定するための少なくとも一つのパッチン錠７０を備える。パッチン錠７０は、図１４に示されるように、固定係止部７３２を含む固定係止部材７３と、操作部７４２および可動係止部７４３を含む可動係止部材７４と、を含む。操作部７４２を操作することで、可動係止部７４３が固定係止部７３２に係止される係止状態と、可動係止部７４３が固定係止部７３２に係止されない非係止状態と、に切り替え可能に構成される。
【００７２】
図示される実施形態では、図１４に示されるように、固定係止部材７３は、二つの固定対象のうちの一方に取り付けられる第１取付け部７３１をさらに含む。固定係止部７３２は曲がり形状を有する。
可動係止部材７４は、二つの固定対象のうちの他方に取り付けられる第２取付け部７４１をさらに含む。操作部７４２は、操作部７４２の固定係止部７３２側の端部に位置する回動部７４４の回転中心Ｒ２を中心とする周方向に、第２取付け部７４１に対して相対回転可能に構成されている。可動係止部７４３は、操作部７４２の回動部７４４よりも固定係止部７３２から離れた位置に設けられる回動部７４５の回転中心Ｒ３を中心とする周方向に、操作部７４２に対して相対回転可能に構成されている。
【００７３】
図中矢印で示されるように、操作部７４２の固定係止部７３２から離れた側を、第２取付け部７４１から離れるように、図中反時計回り方向に回転させると、可動係止部７４３が固定係止部材７３側（図中右側）に移動するので、非係止状態になる。また、操作部７４２の固定係止部７３２から離れた側を、第２取付け部７４１に近づくように、図中時計回り方向に回転させると、可動係止部７４３が可動係止部材７４側（図中左側）に移動するので、係止状態となる。
【００７４】
図１４に示される実施形態では、第１取付け部７３１は、第２側壁部４１２の外側面４１２Ａに固定され、第２取付け部７４１は、第３側壁部５１２の外側面５１２Ａに固定されている。つまり、上述した固定装置７Ｅは、パッチン錠７０を含む。同様に上述した固定装置７Ｆは、パッチン錠７０を含む。
【００７５】
上記の構成によれば、パッチン錠７０は、操作部７４２を操作することで、可動係止部７４３が固定係止部７３２に係止される係止状態と、可動係止部７４３が固定係止部７３２に係止されない非係止状態と、に切り替え可能に構成される。上記パッチン錠７０によれば、第１カバー部材３又は第２カバー部材４の何れかと、第３カバー部材５と、を固定する作業および上記固定を解除する作業を容易且つ迅速に実行可能である。
【００７６】
幾つかの実施形態では、図１０、１４に示されるように、上述したカップリングカバー１は、第２カバー部材４に取り付けられる当て板６をさらに備える。図示される実施形態では、当て板６は、図１０に示されるように、第２周面被覆部４１の軸線方向における他方側の縁部に沿うように取り付けられる。当て板６は、図１４に示されるように、軸線方向における一方側の端部６１が第２周面被覆部４１の内側面（第２側壁部４１２の内側面４１２Ｂなど）に固定され、軸線方向における他方側の端部６２が第３周面被覆部５１の内側面（第３側壁部５１２の内側面５１２Ｂ）に接触するようになっている。
【００７７】
上記の構成によれば、第３カバー部材５により開口Ｏ１を閉じる際に当て板６がガイドになるので、開口Ｏ１を閉じる作業を容易且つ迅速に実行可能である。
【００７８】
図示される実施形態では、上述した第３カバー部材５は、例えば図５、８に示されるように、第３周面被覆部５１に取り付けられて、第３カバー部材５を移動又は回転させる際に把持可能な少なくとも一つの取っ手５４を含む。この場合には、第３カバー部材５を動かして開口Ｏ１を開閉する作業を容易且つ迅速に実行可能である。なお、他の実施形態では、取っ手５４を第４端面被覆部５２に取り付けてもよい。第３周面被覆部５１に取り付けた取っ手５４は、第４端面被覆部５２に取り付けた場合に比べて、第３カバー部材５を動かして開口Ｏ１を開閉する作業をより容易且つ迅速に実行可能である。
【００７９】
図１５は、他の一実施形態にかかるカップリングカバーの第１カバー部材および第２カバー部材から第３カバー部材を取り外した状態を概略的に示す概略上面図である。
幾つかの実施形態では、図１５に示されるように、上述した第２カバー部材４は、軸線ＬＡが延在する方向における一方側に、第３端面被覆部４２Ａが第１端面被覆部３２に面一になるように配置される一方側第２カバー部材４Ａと、軸線ＬＡが延在する方向における他方側に、第４端面被覆部４２Ｂが第２端面被覆部３３に面一になるように配置される他方側第２カバー部材４Ｂと、を含む。
【００８０】
一方側第２カバー部材４Ａの軸線ＬＡが延在する方向における長さＬ４と、他方側第２カバー部材４Ｂの軸線ＬＡが延在する方向における長さＬ５と、の和を上述した長さＬ２とする。上記長さＬ２（＝Ｌ４＋Ｌ５）は、第１カバー部材の長さＬ１よりも短い。
図１５に示されるように、一方側第２カバー部材４Ａおよび他方側第２カバー部材４Ｂが、第１カバー部材３に固定されることで、水平方向他方側（図中軸線ＬＡよりも下側）、且つ軸線方向における中央に、開口Ｏ２（開口Ｏ）が形成される。第３カバー部材５Ａは、上述した第４端面被覆部５２を含まない点において、上述した第３カバー部材５とは異なる。この場合には、第３カバー部材５Ａは、上述した第４端面被覆部５２を含まないため、第３カバー部材５Ａの大型化および高重量化を防止することができる。
【００８１】
幾つかの実施形態では、図５、１５に示されるように、上述した第３カバー部材５、５Ａの軸線ＬＡが延在する方向における長さをＬ３とすると、長さＬ３は、１／２Ｌ１以下である。好ましくは、１／４Ｌ１以下である。さらに好ましくは、１／８Ｌ１以下である。この場合には、長さＬ３を短くすることで、第３カバー部材５、５Ａの大型化および高重量化を防止することができる。
【００８２】
（ターニング補助工具）
図１６は、一実施形態にかかるターニング補助工具の連結状態を概略的に示す概略正面図である。図１７は、一実施形態にかかるターニング補助工具の非連結状態を概略的に示す概略正面図である。図１８は、図１６に示されるＤ方向視の概略側面図である。図１９は、図１６に示されるＥ方向視の概略側面図である。図２０は、一実施形態にかかるターニング補助工具を用いたターニング作業を説明するための図である。
【００８３】
図２０に示されるように、幾つかの実施形態にかかるターニング補助工具８は、カップリング２の一端（第１締結部材２２又は第２締結部材２３）にキー（第１のキー１５、第２のキー１６）を介して先端が連結されたシャフト（駆動軸１１Ａ、回転軸１２Ａ）をターニング工具１００により回転させるためのものである。
図示される実施形態では、ターニング工具１００は、図２０に示されるように、長さ方向を有する操作部１０１と、操作部１０１の長さ方向の一方側の端部に設けられる周面当接部１０２と、操作部１０１の長さ方向における周面当接部１０２よりも手前から分岐し、周面当接部１０２よりも上記一方側に突出する円弧状の曲がり部１０３と、曲がり部１０３の先端に設けられる掛止部１０４と、を含む。
【００８４】
図３に示されるような、少なくとも一つの第１凹部２３５（被掛止部）が、カップリング２に形成されている場合には、第１凹部２３５に図２０に示されるターニング工具１００の掛止部１０４を掛止した状態で、ターニング工具１００の操作部１０１に対してトルク（回転力）を加えることで、静止状態の駆動軸１１Ａや回転軸１２Ａを手動回転させることができる。しかし、カップリング２に上述したような第１凹部２３５を形成することで、駆動軸１１Ａや回転軸１２Ａの偏心を招く虞がある。また、第１凹部２３５が摩耗した際には、カップリング２を駆動軸１１Ａや回転軸１２Ａから取り外して交換する必要があり、交換作業には手間がかかる虞がある。
【００８５】
幾つかの実施形態では、上述したターニング補助工具８は、図２０に示されるように、回転軸１２Ａの周面１２２に着脱可能に構成されている環状の本体部８０と、環状の本体部８０の外周縁８１に形成される少なくとも一つの被掛止部８５と、環状の本体部８０の内周縁８２に形成された係止凹部８６と、を備える。係止凹部８６は、図２０に示されるように、回転軸１２Ａに形成されたキー溝１２１（図２参照）に嵌合した第２のキー１６（係止キー）に係止可能に構成されている。
【００８６】
環状の本体部８０の内周縁８２は、回転軸１２Ａが挿入可能な大きさに形成されている。環状の本体部８０の外周縁８１は、上述した開口Ｏに挿入可能な大きさに形成されている。
【００８７】
被掛止部８５は、ターニング工具１００の掛止部１０４が掛止可能に構成されている。図示される実施形態では、被掛止部８５は、環状の本体部８０の軸線方向に沿って延在する溝を含んでいるが、他の実施形態では、外周縁に開口する凹部や孔を含んでいてもよい。被掛止部８５は、一つであってもよいが複数設けられることが望ましい。好ましくは４つ以上である。被掛止部８５の数が少なくと、静止状態における被掛止部８５の位置によって、上述した開口Ｏからのターニング作業が困難になる虞がある。
【００８８】
係止凹部８６は、第２のキー１６のキー溝１２１から突出した部分が嵌合可能に構成されている。図示される実施形態では、係止凹部８６は、環状の本体部８０の軸線方向に沿って延在する溝を含む。
【００８９】
図示される実施形態では、環状の本体部８０は、図１６、１７に示されるように、第１の円弧状部材８Ａ（半環状部材）と、第２の円弧状部材８Ｂ（半環状部材）と、を含む。
ターニング補助工具８は、図１６に示されるように、第１の円弧状部材８Ａの長さ方向の一方の先端部８３Ａと、第２の円弧状部材８Ｂの長さ方向の一方の先端部８３Ｂと、を連結する第１連結部８３と、第１の円弧状部材８Ａの長さ方向の他方の先端部８４Ａと、第２の円弧状部材８Ｂの長さ方向の他方の先端部８４Ｂと、を連結する第２連結部８４と、を含む。
【００９０】
図１６、１７に示される実施形態では、第１連結部８３は、回転中心Ｒ４を中心とする周方向に、第１の円弧状部材８Ａ、又は、第２の円弧状部材８Ｂの一方を他方に対して相対回転可能に連結している。また、図１６、１７に示される実施形態では、第２連結部８４は、先端部８４Ａと先端部８４Ｂとの連結を解除可能に構成されている。
【００９１】
図１７に示されるように、第２連結部８４における先端部８４Ａと先端部８４Ｂとの連結を解除し、先端部８４Ａと先端部８４Ｂとが離隔するように、第１の円弧状部材８Ａ、又は、第２の円弧状部材８Ｂの一方を他方に対して相対回転させることで、環状の本体部８０を回転軸１２Ａの周面１２２から取り外すことができる。また、先端部８４Ａと先端部８４Ｂとを近づけて、第２連結部８４において先端部８４Ａと先端部８４Ｂとを連結することで、環状の本体部８０を回転軸１２Ａの周面１２２に取り付けることができる。
環状の本体部８０は、回転軸１２Ａの軸線方向における第２露出部１６Ａが形成された部分に装着される。
【００９２】
なお、他の実施形態では、環状の本体部８０は、駆動軸１１Ａの周面１１２に着脱可能に構成されていてもよい。例えば、環状の本体部８０の内周縁８２は、駆動軸１１Ａが挿入可能な大きさに形成され、係止凹部８６は、第１のキー１５（係止キー）に係止可能に構成されていてもよい。
また、他の実施形態では、第１連結部８３が先端部８３Ａと先端部８３Ｂとの連結を解除可能に構成され、第２連結部８４が先端部８４Ａと先端部８４Ｂとの連結を解除可能に構成されていてもよい。また、他の実施形態では、環状の本体部８０は、３つ以上複数の円弧状部材を含んでもよい。
【００９３】
上述したように、幾つかの実施形態では、上述したターニング補助工具８は、上述した環状の本体部８０と、上述した少なくとも一つの被掛止部８５と、上述した係止凹部８６と、を備える。
【００９４】
上記の構成によれば、ターニング補助工具８の環状の本体部８０が、静止状態の回転軸１２Ａ（シャフト）の周面１２２に装着される。環状の本体部８０が回転軸１２Ａの周面１２２に装着した状態では、環状の本体部８０の内周縁８２に形成された係止凹部８６が、回転軸１２Ａに形成されたキー溝１２１に嵌合した第２のキー１６（係止キー）に係止するので、環状の本体部８０と回転軸１２Ａとの間の相対回転が制限される。環状の本体部８０の外周縁８１に形成された被掛止部８５にターニング工具１００を掛止した状態で、ターニング工具１００によりターニング補助工具８にトルク（回転力）を加えることで、ターニング補助工具８が装着された回転軸１２Ａをターニング補助工具８と一緒に回転させることができる。
【００９５】
仮にターニング補助工具８を装着した状態で回転軸１２Ａ（シャフト）を高速回転させると、ターニング補助工具８の重さにより回転軸１２Ａが偏心する虞がある。上記の構成によれば、ターニング補助工具８を回転軸１２Ａから取り外すことができるので、ターニング補助工具８の重さにより回転軸１２Ａが偏心するのを防止することができる。また、上記の構成によれば、ターニング補助工具８は回転軸１２Ａに着脱可能であるので、被掛止部８５が摩耗した際の交換が容易である。
【００９６】
幾つかの実施形態では、上述した環状の本体部８０は、複数の円弧状部材（第１の円弧状部材８Ａ、第２の円弧状部材８Ｂ）を含む。上記複数の円弧状部材の夫々は、少なくとも一つの連結部材８７により他の円弧状部材に連結されるように構成されている。なお、環状の本体部８０が、第１の円弧状部材８Ａと第２の円弧状部材８Ｂからなる場合には、複数の連結部材８７により他方の円弧状部材に連結される。
【００９７】
図示される実施形態では、図１８に示されるように、上述した第２連結部８４は、第１の円弧状部材８Ａの先端部８４Ａの端面に形成される少なくとも一つの第３凹部８８Ｂと、第２の円弧状部材８Ｂの先端部８４Ａの端面に形成されるとともに、第３凹部８８Ｂと嵌合するように構成された少なくとも一つの第２凸部８９Ｂと、第３凹部８８Ｂと第２凸部８９Ｂとの嵌合部に軸線方向に沿って形成された貫通孔８４１、８４２を挿通する第１連結部材８７Ｂ（連結部材８７）と、を含む。第１連結部材８７Ｂは、先端部８４Ａと先端部８４Ｂとに着脱可能に連結している。
【００９８】
また、図示される実施形態では、図１９に示されるように、上述した第１連結部８３は、第１の円弧状部材８Ａの先端部８３Ａの端面に形成される少なくとも一つの第１凸部８９Ａと、第２の円弧状部材８Ｂの先端部８３Ｂの端面に形成されるとともに、第１凸部８９Ａと嵌合するように構成された少なくとも一つの第２凹部８８Ａと、第２凹部８８Ａと第１凸部８９Ａとの嵌合部に軸線方向に沿って形成された貫通孔８３１、８３２を挿通する第２連結部材８７Ａ（連結部材８７）と、を含む。第２連結部材８７Ａは、先端部８３Ａと先端部８３Ｂとを回動可能に連結している。
【００９９】
上記の構成によれば、複数の円弧状部材（第１の円弧状部材８Ａ、第２の円弧状部材８Ｂ）の夫々は、少なくとも一つの連結部材８７により他の円弧状部材に連結されるように構成されるので、連結部材８７による円弧状部材同士の連結を解除することで、本体部８０は環状ではなくなるので、本体部８０をシャフト（駆動軸１１Ａ、回転軸１２Ａ）から容易に取り外すことができる。
【０１００】
幾つかの実施形態では、例えば図１６、１７に示されるように、少なくとも一つの連結部材８７は、複数の円弧状部材（第１の円弧状部材８Ａ、第２の円弧状部材８Ｂ）のうちの、一の円弧状部材（第１の円弧状部材８Ａ）と他の円弧状部材（第２の円弧状部材８Ｂ）とに着脱可能に連結するように構成される上述した第１連結部材８７Ｂと、複数の円弧状部材（第１の円弧状部材８Ａ、第２の円弧状部材８Ｂ）のうちの、一の円弧状部材（第１の円弧状部材８Ａ）と他の円弧状部材（第２の円弧状部材８Ｂ）とを回動可能に連結するように構成される上述した第２連結部材８７Ａと、を含む。
【０１０１】
上記の構成によれば、少なくとも一つの連結部材８７は、第１連結部材８７Ｂと、第２連結部材８７Ａと、を含む。第１連結部材８７Ｂは、複数の円弧状部材（第１の円弧状部材８Ａ、第２の円弧状部材８Ｂ）のうちの、一の円弧状部材（第１の円弧状部材８Ａ）と他の円弧状部材（第２の円弧状部材８Ｂ）とに着脱可能に連結するように構成されている。このため、第１連結部材８７Ｂを円弧状部材から取り外すことで、一の円弧状部材（第１の円弧状部材８Ａ）の先端部８４Ａ（第１連結部）と他の円弧状部材の先端部８４Ｂ（第２連結部）との連結を解除することができる。
【０１０２】
第２連結部材８７Ａは、複数の円弧状部材（第１の円弧状部材８Ａ、第２の円弧状部材８Ｂ）のうちの、一の円弧状部材（第１の円弧状部材８Ａ）と他の円弧状部材（第２の円弧状部材８Ｂ）とを回動可能に連結するように構成されている。このため、第１連結部材８７Ｂにより連結されていた先端部８４Ａ（第１連結部）と先端部８４Ｂ（第２連結部）とが離隔するように、第２連結部材８７Ａの回転中心Ｒ４を回転中心として本体部８０を広げることにより、本体部８０をシャフト（駆動軸１１Ａ、回転軸１２Ａ）から容易に取り外すことができる。
【０１０３】
上記の構成によれば、第２連結部材８７Ａにより本体部８０を広げたり、丸めたりすることができるので、第２連結部材８７Ａを含まない場合に比べて、第１連結部材８７Ｂの数を減らすことができる。第１連結部材８７Ｂの数が減った分だけ第１連結部材８７Ｂの着脱作業がなくなるので、ターニング補助工具８のシャフト（駆動軸１１Ａ、回転軸１２Ａ）への着脱作業をより容易且つより迅速に実行可能である。
【０１０４】
図２１は、ロックピンの動作を説明するための図である。
幾つかの実施形態では、図２１に示されるように、上述した第１連結部材８７Ｂは、第１の円弧状部材８Ａおよび第２の円弧状部材８Ｂ（複数の円弧状部材）の夫々に形成された貫通孔８４１、８４２に挿通されるように構成される軸部９２と、軸部９２を第１の円弧状部材８Ａおよび第２の円弧状部材８Ｂに対して抜き差し可能にするように構成されるロック装置９３と、を含むロックピン９からなる。
【０１０５】
図示される実施形態では、図２１に示されるように、ロックピン９は、上記軸部９２と、上記ロック装置９３と、上記軸部９２の根元側に連結される軸部９２よりも大径に形成された頭部９１と、頭部９１に取り付けられた環状の把持部９６と、を含む。
ロック装置９３は、図２１に示されるように、軸部９２に少なくとも一部が収納された環状の球９４と、環状の球９４をロックピン９の軸線に直交する方向に沿って付勢し、且つ、ロックピン９の軸線に直交する方向に沿って伸縮可能に構成されているばね９５（弾性部材）と、を含む。
【０１０６】
上記の構成によれば、ロックピン９は、図２１に示されるように、軸部９２を第１の円弧状部材８Ａや第２の円弧状部材８Ｂに形成された貫通孔８４１、８４２に挿通させることが可能である。ロック装置９３が、貫通孔８４１、８４２に挿通した際に、ロックピン９の軸線に直交する方向に沿って、軸部９２および貫通孔８４１、８４２よりも外側に球９４が突出することで、ロックピン９の軸部９２を第１の円弧状部材８Ａおよび第２の円弧状部材８Ｂに対して容易に抜けなくすることができる。
【０１０７】
より詳細には、ロックピン９は、上述した把持部９６を介して、ロックピン９の軸線が延在する方向に沿って加えられる引抜力が、球９４対してばね９５が付勢する付勢力（着脱抵抗力）よりも小さいと、第１の円弧状部材８Ａの外側面８３４に球９４が係止するため、ロックピン９が第１の円弧状部材８Ａや第２の円弧状部材８Ｂから引き抜けないようになっている。上記外側面８３４は、ロックピン９の軸線が延在する方向において、ロックピン９の頭部９１が係止される側の外側面８３５に対して反対側に位置する。
また、ロックピン９は、上述した把持部９６を介して、ロックピン９の軸線が延在する方向に沿って加えられる引抜力が、球９４対してばね９５が付勢する付勢力（着脱抵抗力）よりも大きいと、上記引抜力によりばね９５が圧縮されて球９４が軸部９２の内部に押し込まれるので、ロックピン９を第１の円弧状部材８Ａや第２の円弧状部材８Ｂから引き抜けるようになっている。
【０１０８】
よって、上述したロックピン９によれば、ロック装置９３より軸部９２を第１の円弧状部材８Ａおよび第２の円弧状部材８Ｂに対して抜き差し可能であるため、第１の円弧状部材８Ａと第２の円弧状部材８Ｂとを連結させること、および、第１の円弧状部材８Ａと第２の円弧状部材８Ｂとの間の連結を解除することを容易に行うことができる。
【０１０９】
上記の構成によれば、第１の円弧状部材８Ａおよび第２の円弧状部材８Ｂ（複数の円弧状部材）に形成された貫通孔８４１、８４２に軸部９２を挿通させて、ロック装置９３により軸部９２を第１の円弧状部材８Ａおよび第２の円弧状部材８Ｂに対して抜き差し可能にすることで、円弧状部材同士を容易且つより迅速に連結することができる。上記の構成によれば、ターニング補助工具８のシャフト（駆動軸１１Ａ、回転軸１２Ａ）への取り付け作業をより容易且つより迅速に実行可能である。
【０１１０】
（ターニング装置）
幾つかの実施形態にかかるターニング装置１１０は、カップリング２の一端（第１締結部材２２又は第２締結部材２３）にキー（第１のキー１５、第２のキー１６）を介して先端が連結されたシャフト（駆動軸１１Ａ、回転軸１２Ａ）をターニング工具１００により回転させるための装置である。
上述したターニング装置１１０は、図１１に示されるように、上述した第１カバー部材３、第２カバー部材４および第３カバー部材５を含むカップリングカバー１と、上述した環状の本体部８０、少なくとも一つの被掛止部８５および係止凹部８６を含むターニング補助工具８と、を備える。上述した環状の本体部８０は、長手方向の長さ（本体部８０の外径）が開口Ｏの開口径よりも短く形成されている。
【０１１１】
上記の構成によれば、第１カバー部材３と第２カバー部材４とが繋ぎ合わされた際に、カップリング２の周面２６における水平方向他方側に開口Ｏが形成される。開口Ｏを開放状態、すなわち、第３カバー部材を動かして開口Ｏを開いた状態にすると、カップリングカバー１の内部に収納された、シャフト（駆動軸１１Ａ、回転軸１２Ａ）やカップリング２などが露出する。ターニング補助工具８は、長手方向の長さが開口Ｏの開口径よりも短く形成されているので、開口Ｏに挿入可能である。作業者は、開口Ｏを利用して、環状の本体部８０をシャフト（駆動軸１１Ａ、回転軸１２Ａ）の周面１１２、１２２に装着することができる。環状の本体部８０の外周縁８１に形成された被掛止部８５にターニング工具１００を掛止した状態で、ターニング工具１００によりターニング補助工具８にトルク（回転力）を加えることで、ターニング補助工具８が装着されたシャフト（駆動軸１１Ａ、回転軸１２Ａ）をターニング補助工具８と一緒に回転させることができる。
【０１１２】
また、上記の構成によれば、シャフト（駆動軸１１Ａ、回転軸１２Ａ）にターニング補助工具８を装着し、ターニング工具１００によりターニング補助工具８およびシャフト（駆動軸１１Ａ、回転軸１２Ａ）を回転させるという一連の作業を、開口Ｏを利用して行うことができるので、静止状態のシャフト（駆動軸１１Ａ、回転軸１２Ａ）を手動回転させるターニング作業を容易且つ迅速に実行可能である。
【０１１３】
（ターニング方法）
図２２は、一実施形態にかかるターニング方法のフロー図である。図２３は、他の一実施形態にかかるターニング方法のフロー図である。
幾つかの実施形態にかかるターニング方法２００Ａは、上述したターニング補助工具８を含むターニング装置１１０によるターニング方法である。
上述したターニング補助工具８は、上述した環状の本体部８０と、上述した少なくとも一つの被掛止部８５と、上述した係止凹部８６と、を備える。
【０１１４】
ターニング方法２００Ａは、図２２、２３に示されるように、シャフト（駆動軸１１Ａ、回転軸１２Ａ）の周面１１２、１２２に環状の本体部８０を装着する補助工具装着工程２０１と、環状の本体部８０の被掛止部８５にターニング工具１００を掛止した状態で、シャフト（駆動軸１１Ａ、回転軸１２Ａ）を周方向に回転させるシャフト回転工程２０２と、を備える。
【０１１５】
上記の方法によれば、シャフト（駆動軸１１Ａ、回転軸１２Ａ）の周面１１２、１２２に環状の本体部８０を装着する補助工具装着工程２０１と、環状の本体部８０の被掛止部８５にターニング工具１００を掛止した状態で、シャフト（駆動軸１１Ａ、回転軸１２Ａ）を周方向に回転させるシャフト回転工程２０２と、を備える。シャフト回転工程２０２では、ターニング工具１００によりターニング補助工具８にトルク（回転力）を加えることで、ターニング補助工具８が装着されたシャフト（駆動軸１１Ａ、回転軸１２Ａ）をターニング補助工具８と一緒に回転させることができる。
【０１１６】
幾つかの実施形態にかかるターニング方法２００Ｂは、上述したカップリングカバー１および上述したターニング補助工具８を含むターニング装置１１０によるターニング方法である。
上述したカップリングカバー１は、上述した第１カバー部材３と、上述した第２カバー部材４と、上述した第３カバー部材５と、を備える。
上述したターニング補助工具８は、上述した環状の本体部８０と、上述した少なくとも一つの被掛止部８５と、上述した係止凹部８６と、を備える。
【０１１７】
ターニング方法２００Ｂは、図２３に示されるように、上述した補助工具装着工程２０１と、上述したシャフト回転工程２０２と、第３カバー部材５を移動又は回転させて開口Ｏを開放する開口開放工程２０３と、開口Ｏに環状の本体部８０を挿入する補助工具挿入工程２０４と、を備える。図２３に示されるように、ターニング方法２００Ｂにおける各工程は、開口開放工程２０３、補助工具挿入工程２０４、補助工具装着工程２０１、開口開放工程２０３の順に行われる。
【０１１８】
上記の方法によれば、第３カバー部材５を移動又は回転させて開口Ｏを開放する開口開放工程２０３と、開口Ｏに環状の本体部８０を挿入する補助工具挿入工程２０４と、をさらに備える。上記の方法によれば、上述した補助工具装着工程２０１および上述したシャフト回転工程２０２を、開口Ｏを利用して行うことができるので、静止状態のシャフト（駆動軸１１Ａ、回転軸１２Ａ）を手動回転させるターニング作業を容易且つ迅速に実行可能である。
【０１１９】
本発明は上述した実施形態に限定されることはなく、上述した実施形態に変形を加えた形態や、これらの形態を適宜組み合わせた形態も含む。
【符号の説明】
【０１２０】
１          カップリングカバー
２          カップリング
３          第１カバー部材
４          第２カバー部材
５          第３カバー部材
６          当て板
７，７Ａ〜７Ｆ  固定装置
８          ターニング補助工具
８Ａ        第１の円弧状部材
８Ｂ        第２の円弧状部材
９          ロックピン
１０        ポンプシステム
１１        第１シャフト
１１Ａ      駆動軸
１２        第２シャフト
１２Ａ      回転軸
１３        モータ
１４        回転ポンプ
１５        第１のキー
１５Ａ      第１露出部
１６        第２のキー
１６Ａ      第２露出部
１７，１８  締結装置
１７Ａ，１８Ａ，７１Ａ〜７１Ｄ  ボルト
１７Ｂ，１８Ｂ，７２Ａ〜７２Ｄ  ナット
１９        土台
２１        胴体
２２        第１締結部材
２３        第２締結部材
２４        第１の振動抑制体
２５        第２の振動抑制体
２６，１１２，１２２  周面
２７        第１端面
２８        第２端面
３１        第１周面被覆部
３２        第１端面被覆部
３３        第２端面被覆部
３４        第１突出部
３５        第１鍔部
３６        第１脚部
４１        第２周面被覆部
４２，４２Ａ  第３端面被覆部
４２Ｂ，５２  第４端面被覆部
４３        第２突出部
４４        第２鍔部
４５        第２脚部
５１        第３周面被覆部
５３        第３突出部
５４        取っ手
５５        鉤状部
５６，７４４，７４５  回動部
５７        第３鍔部
６１，６２  端部
７０        パッチン錠
７３        固定係止部材
７４        可動係止部材
８０        環状の本体部
８０        本体部
８１        外周縁
８２        内周縁
８３        第１連結部
８３Ａ，８３Ｂ，８４Ａ，８４Ｂ  先端部
８４        第２連結部
８５        被掛止部
８６        係止凹部
８７        連結部材
８７Ａ      第２連結部材
８７Ｂ      第１連結部材
８８Ａ      第２凹部
８８Ｂ      第３凹部
８９Ａ      第１凸部
８９Ｂ      第２凸部
９１        頭部
９２        軸部
９３        ロック装置
９４        球
９６        把持部
１００      ターニング工具
１０１，７４２  操作部
１０２      当接部
１０３      曲がり部
１０４      掛止部
１１０      ターニング装置
【要約】
【課題】静止状態のシャフトを手動回転させるターニング作業を容易且つ迅速に実行可能にするカップリングカバーを提供する。
【解決手段】第１シャフトと第２シャフトとの間で回転力を伝達するカップリングを収納するように構成されるカップリングカバーであって、カップリングの軸線に直交する断面におけるカップリングの周面における水平方向一方側を覆うように構成される第１カバー部材と、軸線が延在する方向における長さが第１カバー部材よりも短く、且つ、断面におけるカップリングの周面における水平方向他方側を覆うように構成される第２カバー部材と、第１カバー部材と第２カバー部材とによりカップリングの周面における水平方向他方側に形成される開口を開閉可能に構成される第３カバー部材と、を備える。
【選択図】  図１１【図１】
0006692979.tif 000002
【図２】
0006692979.tif 000003
【図３】
0006692979.tif 000004
【図４】
0006692979.tif 000005
【図５】
0006692979.tif 000006
【図６】
0006692979.tif 000007
【図７】
0006692979.tif 000008
【図８】
0006692979.tif 000009
【図９】
0006692979.tif 000010
【図１０】
0006692979.tif 000011
【図１１】
0006692979.tif 000012
【図１２】
0006692979.tif 000013
【図１３】
0006692979.tif 000014
【図１４】
0006692979.tif 000015
【図１５】
0006692979.tif 000016
【図１６】
0006692979.tif 000017
【図１７】
0006692979.tif 000018
【図１８】
0006692979.tif 000019
【図１９】
0006692979.tif 000020
【図２０】
0006692979.tif 000021
【図２１】
0006692979.tif 000022
【図２２】
0006692979.tif 000023
【図２３】
0006692979.tif 000024